(57)【要約】【課題】熱源機と温水端末を１台のリモコンにより遠隔操作する際の、操作性を向上させた温水システムを提供する。【解決手段】熱源機１０の熱源通信部１３と温水端末２０の第１端末通信部２３と熱源リモコン４０とは、第１リモコン通信線７０により相互に接続され、熱源通信部１３から第１リモコン通信線７０に熱源リモコン４０の電源を供給し、第１端末通信部２３から第１リモコン通信線７０への電源供給は行わない。熱源通信部１３と熱源リモコン４０と第１端末通信部２３は、所定周期Ｔf1毎に、互いに異なるタイミングで第１リモコン通信線７０にデータを出力することにより、電源重畳による第１リモコン通信を第１リモコン通信線７０を介して行い、端末制御部２１は、第１端末通信部２３により第１リモコン通信線７０を介して熱源リモコン４０から受信したデータに応じて、温水端末２０の作動を制御する。【選択図】  図１
2012047399.tif 000002
【特許請求の範囲】
【請求項１】
熱源機と、
前記熱源機で加熱された温水が循環供給される温水端末と、
前記熱源機と第１リモコン通信線により接続され、前記熱源機から該第１リモコン通信線に供給される電源により作動すると共に、前記熱源機との間で、所定の電源重畳仕様による第１リモコン通信を該第１リモコン通信線を介して行って、前記熱源機を遠隔操作する熱源リモコンと
を備えた温水システムにおいて、
前記温水端末に設けられ、前記第１リモコン通信線に接続されて、前記第１リモコン通信線への電源供給を行うことなく、前記第１リモコン通信を前記第１リモコン通信線を介して行う第１端末通信部と、
所定周期毎に、互いに異なるタイミングで前記熱源機と前記熱源リモコンと前記温水端末の前記第１端末通信部から前記第１リモコン通信線にデータを出力することにより、前記熱源機と前記熱源リモコンと前記温水端末間で、前記第１リモコン通信を前記第１リモコン通信線を介して行う通信制御部と、
前記温水端末に設けられ、前記第１端末通信部により前記第１リモコン通信線を介して前記熱源リモコンから受信したデータに応じて、前記温水端末の作動を制御する端末制御部と
を備えたことを特徴とする温水システム。
【請求項２】
請求項１記載の温水システムにおいて、
前記熱源リモコンは、前記第１リモコン通信により、前記第１リモコン通信線を介して前記温水端末から受信したデータに基づいて、前記温水端末の作動状況を報知する報知部を備えたことを特徴とする温水システム。
【請求項３】
請求項１又は請求項２記載の温水システムにおいて、
前記温水端末は、前記温水端末の遠隔操作用の端末リモコンと第２リモコン通信線を介して接続可能であって、該第２リモコン通信線を介して該端末リモコンに電源供給すると共に、該端末リモコンとの間で、前記電源重畳仕様による第２リモコン通信を該第２リモコン通信線を介して行う第２端末通信部を備え、
前記端末制御部は、前記第１端末通信部により前記第１リモコン線を介して前記熱源リモコンから受信したデータ、又は前記第２端末通信部により前記第２リモコン線を介して前記端末リモコンから受信したデータに応じて、前記温水端末の作動を制御することを特徴とする温水システム。
【発明の詳細な説明】
【技術分野】
【０００１】
本発明は、熱源機と該熱源機により加熱された温水が循環供給される温水端末を、遠隔操作するリモコンを備えた温水システムに関する。
【背景技術】
【０００２】
従来より、熱源機により加熱された温水を温水端末（温水暖房端末等）に循環供給する温水システムとして、熱源機に電源重畳通信方式で双方向通信を行うリモコンを接続すると共に、熱源機と温水端末間でインテリジェント通信による双方向通信を行うようにした温水システムが知られている（例えば、特許文献１参照）。
【０００３】
特許文献１に記載された温水システムにおいては、熱源機を介して、リモコンと温水端末との間でデータの送受信を行なっている。そして、これにより、熱源機に接続されたリモコンによる温水端末の遠隔操作を可能にすると共に、温水端末の運転状況を熱源機に接続されたリモコンで報知することを可能にしている。
【先行技術文献】
【特許文献】
【０００４】
【特許文献１】特開２００２−１９５５７８号公報
【発明の概要】
【発明が解決しようとする課題】
【０００５】
上記従来の温水システムにおいては、熱源機に接続された１台のリモコンにより、熱源機と温水端末を遠隔操作することができると共に、熱源機と温水端末の運転状況を報知することができる。
【０００６】
しかし、上記従来の温水システムでは、リモコンと温水端末間の通信を熱源機を介して行っているため、リモコンと温水端末間の通信制御が複雑になって応答に時間がかかり、リモコンの操作性が悪くなるという不都合がある。
【０００７】
そこで、本発明は、熱源機と温水端末を１台のリモコンにより遠隔操作する際の、操作性を向上させた温水システムを提供することを目的とする。
【課題を解決するための手段】
【０００８】
本発明は上記目的を達成するためになされたものであり、熱源機と、前記熱源機で加熱された温水が循環供給される温水端末と、前記熱源機と第１リモコン通信線により接続され、前記熱源機から該第１リモコン通信線に供給される電源により作動すると共に、前記熱源機との間で、所定の電源重畳仕様による第１リモコン通信を該第１リモコン通信線を介して行って、前記熱源機を遠隔操作する熱源リモコンとを備えた温水システムの改良に関する。
【０００９】
そして、前記温水端末に設けられ、前記第１リモコン通信線に接続されて、前記第１リモコン通信線への電源供給を行うことなく、前記第１リモコン通信を前記第１リモコン通信線を介して行う第１端末通信部と、所定周期毎に、互いに異なるタイミングで前記熱源機と前記熱源リモコンと前記温水端末の前記第１端末通信部から前記第１リモコン通信線にデータを出力することにより、前記熱源機と前記熱源リモコンと前記温水端末間で、前記第１リモコン通信を前記第１リモコン通信線を介して行う通信制御部と、前記温水端末に設けられ、前記第１端末通信部により前記第１リモコン通信線を介して前記熱源リモコンから受信したデータに応じて、前記温水端末の作動を制御する端末制御部とを備えたことを特徴とする（第１発明）。
【００１０】
第１発明によれば、前記熱源機と前記熱源リモコンと前記温水端末が前記第１リモコン通信線により接続され、前記熱源機から前記第１リモコン通信線に供給される電源により第１リモコンが作動し、前記温水端末の前記第１端末通信部から前記第１リモコン通信線には電源供給がなされない。そのため、電源出力の干渉を回避して、前記熱源機と前記熱源リモコンと前記温水端末間で、前記通信制御部により、前記電源重畳仕様による前記第１リモコン通信を行うことができる。
【００１１】
そして、前記熱源リモコンと前記温水端末間の通信は、前記熱源機を経由せずに、前記第１リモコン通信線を介して直接行われる。そのため、前記熱源機と前記熱源リモコン間の通信との干渉を回避する処理等の複雑な処理は不要であり、前記熱源機を経由することによる応答時間の増加も生じない。したがって、簡易な通信制御によって応答時間を短縮した前記第１リモコン通信により、前記熱源機と前記温水端末を１台の前記熱源リモコンにより遠隔操作する際の操作性を向上させることができる。
【００１２】
また、前記熱源リモコンは、前記第１リモコン通信により、前記第１リモコン通信線を介して前記温水端末から受信したデータに基づいて、前記温水端末の作動状況を報知する報知部を備えたことを特徴とする（第２発明）。
【００１３】
第２発明によれば、前記熱源リモコンは、前記第１リモコン通信線を介して、前記温水端末から受信したデータに応じて、温水端末の作動状態を報知することができる。
【００１４】
また、前記温水端末は、前記温水端末の遠隔操作用の端末リモコンと第２リモコン通信線を介して接続可能であって、該第２リモコン通信線を介して該端末リモコンに電源供給すると共に、該端末リモコンとの間で、前記電源重畳仕様による第２リモコン通信を該第２リモコン通信線を介して行う第２端末通信部を備え、前記端末制御部は、前記第１端末通信部により前記第１リモコン線を介して前記熱源リモコンから受信したデータ、又は前記第２端末通信部により前記第２リモコン線を介して前記端末リモコンから受信したデータに応じて、前記温水端末の作動を制御することを特徴とする（第３発明）。
【００１５】
第３発明によれば、前記第２端末通信部に前記第２リモコン線を介して前記端末リモコンを接続することにより、前記温水端末から前記第２リモコン線に供給される電源によって前記端末リモコンを作動させることができる。そして、前記端末リモコンと前記熱源リモコンは、いずれも前記電源重畳仕様による前記第１リモコン通信又は前記第２リモコン通信を行うものであるため、同一仕様のリモコンを、前記熱源リモコン及び前記端末リモコンとして用いることができ、仕様が異なる前記熱源リモコンと前記端末リモコンを別個に用意する必要がない。
【図面の簡単な説明】
【００１６】
【図１】温水システムの構成図。
【図２】図１に示した熱源リモコン及び端末リモコンの構成図。
【図３】図１に示した熱源機と温水端末と熱源リモコン間の通信仕様、及び温水端末と端末リモコン間の通信仕様の説明図。
【図４】温水端末のマスター／スレーブ設定処理の第１実施形態のフローチャート。
【図５】温水端末のマスター／スレーブ設定処理の第２実施形態のフローチャート。
【図６】温水端末のマスター／スレーブ設定処理の第３実施形態のフローチャート。
【図７】温水端末のマスター／スレーブ設定処理の第４実施形態のフローチャート。
【発明を実施するための形態】
【００１７】
本発明の実施形態について、図１〜図７を参照して説明する。図１を参照して、本実施形態の温水システムは、熱源機１０と、２台の温水端末（床暖房機等の温水暖房端末、温水加熱式の衣類乾燥機等）２０，３０と、熱源リモコン４０と、端末リモコン５０とにより構成されている。
【００１８】
熱源機１０と温水端末２０，３０は、ＧＣＨ（Gas Central Heating）通信線６０により接続されて、相互にＧＣＨ仕様によるデータ通信（ＧＣＨ通信）を行う。また、熱源機１０と温水端末２０と熱源リモコン４０は、第１リモコン通信線７０により接続されて、相互に所定の電源重畳仕様によるデータ通信（第１リモコン通信）を行う。また、温水端末２０と端末リモコン５０は第２リモコン通信線８０により接続されて、相互に第１リモコン通信と同一の電源重畳仕様によるデータ通信（第２リモコン通信）を行う。
【００１９】
熱源機１０は、図示しない熱交換器で加熱された温水を、図示しない温水循環回路を経由して、温水端末２０，３０に循環供給する。熱源機１０は、温水端末２０，３０に所定温度の温水を循環供給する温水供給運転を実行する温水供給制御部１１と、温水端末２０，３０との間でＧＣＨ通信を実行するＧＣＨ通信部１２と、熱源リモコン４０及び温水端末２０との間で第１リモコン通信を実行する熱源通信部１３と、ディップスイッチ１４とを備えている。
【００２０】
なお、熱源機１０の制御基板（図示しない）に実装されたマイクロコンピュータに、熱源機１０の制御用プログラムを実行させることによって、このマイクロコンピュータが、他の電子部品と協働して、温水供給制御部１１、ＧＣＨ通信部１２、及び熱源通信部１３として機能する。
【００２１】
温水端末２０は、熱源機１０から供給される温水から放熱させる放熱運転を実行する端末制御部２１と、熱源機１０との間でＧＣＨ通信を行うＧＣＨ通信部２２、熱源機１０及び熱源リモコン４０との間で第１リモコン通信を行う第１端末通信部２３、端末リモコン５０との間で第２リモコン通信を行う第２端末通信部２４、及びディップスイッチ２５を備えている。
【００２２】
なお、温水端末２０の制御基板（図示しない）に実装されたマイクロコンピュータに、温水端末２０の制御用プログラムを実行させることによって、このマイクロコンピュータが、他の電子部品と協働して、端末制御部２１、ＧＣＨ通信部２２、第１端末通信部２３、及び第２端末通信部２４として機能する。
【００２３】
熱源リモコン４０は、図２に示したように、表示部４１、メニュースイッチ４２、アップスイッチ４３、ダウンスイッチ４４、決定スイッチ４５、戻るスイッチ４６、及び運転スイッチ４７を備え、熱源機１０の熱源通信部１３から第１リモコン通信線７０に供給される電源によって作動する。
【００２４】
熱源リモコン４０は、熱源機１０と温水端末２０の双方の操作が可能な複合リモコンである。なお、端末リモコン５０の仕様は熱源リモコン４０と同一であり、表示部４１とスイッチ４２〜４７を備えている。そのため、仕様が異なる熱源リモコン４０と端末リモコン５０を別個に用意する必要がない。
【００２５】
ここで、第１リモコン通信線７０に電源供給するのは熱源機１０の熱源通信部１３のみであり、温水端末２０の第１端末通信部２３は、第１リモコン通信線７０への電源供給は行わない。そのため、複数個所からの電源出力の干渉の問題は生じない。
【００２６】
熱源リモコン４０は、使用者による各スイッチの操作に応じて、熱源機１０及び給湯端末２０の運転ＯＮ／ＯＦＦ、運転条件等を指示するデータを、第１リモコン通信線７０を介した第１リモコン通信によって熱源機１０及び温水端末２０に送信する。
【００２７】
また、熱源リモコン４０は、熱源機１０及び温水端末２０から送信される各種の運転状況データを、第１リモコン通信線７０を介した第１リモコン通信によって受信し、この運転状況データに基づいて、熱源機１０及び温水端末２０の運転状況を表示部４１に表示する。
【００２８】
端末リモコン５０は、温水端末２０の第２端末通信部２４から第２リモコン通信線８０に供給される電源により作動する。端末リモコン５０は、使用者による各スイッチの操作に応じて、温水端末２０に、温水端末２０の運転ＯＮ／ＯＦＦ、運転条件等を指示するデータを、第２リモコン通信線８０を介した第２リモコン通信によって温水端末２０に送信する。
【００２９】
また、端末リモコン５０は、温水端末２０から送信される各種の運転状況データを、第２リモコン通信線８０を介した第２リモコン通信によって受信し、この運転状況データに基づいて、温水端末２０の運転状況を表示する。
【００３０】
本実施の形態においては、温水端末２０の第１端末通信部２３を第１リモコン通信線７０を介して熱源リモコン４０に接続することにより、或いは、温水端末２０の第２端末通信部２４を第２リモコン通信線８０を介して端末リモコン５０に接続することにより、熱源リモコン４０又は端末リモコン５０のいずれか一方による温水端末２０の遠隔操作を可能にする構成としている。
【００３１】
なお、第１端末通信部２３と第２端末通信部２４の双方を用いて、温水端末２０に熱源熱源リモコン４０と端末リモコン５０を共に接続し、熱源リモコン４０と端末リモコン５０のいずれによっても温水端末２０の遠隔操作を可能にする構成としてもよい。
【００３２】
次に、図３（ａ）を参照して、温水端末２０の第１端末通信部２３に熱源リモコン４０が接続され、第１リモコン通信線７０を介して熱源機１０と熱源リモコン４０と温水端末２０が、第１リモコン通信を行う場合の通信仕様について説明する。
【００３３】
図３（ａ）に示したように、温水端末２０に熱源リモコン４０が接続されたときは、熱源機１０をマスターとし、熱源リモコン４０及び温水端末２０をスレーブとして、データの出力タイミングが決定される。
【００３４】
すなわち、Ｔf1（ｔ10〜ｔ16）を１フレームの周期として、マスターである熱源機１０の熱源通信部１３からｔ10〜ｔ11の期間に熱源機１０のパケットデータが出力され、スレーブである熱源リモコン４０の第１端末通信部２３と温水端末２０は、熱源機１０の出力を受信したタイミングに基づいて決定した期間ｔ12〜ｔ13とｔ14〜ｔ15で、それぞれパケットデータを出力する。これにより、熱源機１０と熱源リモコン４０と温水端末２０は、出力データの衝突を回避して、第１リモコン通信を行う。
【００３５】
なお、図３（ａ）に示したように、熱源機１０の熱源通信部１３と温水端末２０の第１端末通信部２３と熱源リモコン４０が、互いに異なるタイミングでデータを出力する構成が、本発明の通信制御部に相当する。
【００３６】
次に、図３（ｂ）を参照して、温水端末２０の第２通信端末部２４に端末リモコン５０が接続され、第２リモコン通信線８０を介して温水端末２０と端末リモコン５０が、第２リモコン通信を行う場合の通信仕様について説明する。
【００３７】
図３（ｂ）に示したように、温水端末２０に端末リモコン５０が接続されたときは、温水端末２０をマスターとし、端末リモコン５０をスリーブとして、データの出力タイミングが決定される。
【００３８】
すなわち、Ｔf2（ｔ20〜ｔ24）を１フレームの周期として、マスターである温水端末２０の第２端末通信部２４からｔ20〜ｔ21の期間に温水端末２０のパケットデータが出力され、スレーブである端末リモコン５０は、温水端末２０の出力を受信したタイミングに基づいて決定した期間ｔ22〜ｔ23に、パケットデータを出力する。これにより、温水端末２０と端末リモコン５０は、出力データの衝突を回避して、第２リモコン通信を行う。
【００３９】
このように、本実施の形態において、温水端末２０は、熱源リモコン４０が接続されたときはスレーブとして動作し、端末リモコン５０が接続されたときにはマスターとして動作する。そのため、温水端末２０をスレーブに設定することで、熱源リモコン４０による温水端末２０の遠隔操作が可能となり、温水端末２０をマスターに設定することで、端末リモコン５０による温水端末２０の遠隔操作が可能となる。
【００４０】
以下、温水端末２０をマスターとスレーブのいずれかに設定する処理の第１実施形態〜第４実施形態について、図４〜図７を参照して説明する。
【００４１】
［第１実施形態］
図４を参照して、第１実施形態では、温水端末２０に設けられたディップスイッチ２５の設定（ＯＮ／ＯＦＦ）により、温水端末２０がマスターとスレーブのいずれかに設定される。
【００４２】
温水端末２０への通電が開始されると、第１端末通信部２３と第２端末通信部２４は、ＳＴＥＰ２で通電開始から２秒が経過したか否かを判断しつつ、ＳＴＥＰ１でディップスイッチ２５の設定がＯＮであるか否かを判断する。
【００４３】
そして、ディップスイッチ２５の設定がＯＮであったときはＳＴＥＰ１からＳＴＥＰ１０に分岐し、第２端末通信部２４が、第２リモコン通信線８０に電源供給して、上述した図３（ｂ）の温水端末２０をマスターに設定した第２リモコン通信を開始し、ＳＴＥＰ４に進んで処理を終了する。
【００４４】
一方、ディップスイッチ２５がＯＮに設定されずに、通電開始から２秒が経過したときにはＳＴＥＰ２からＳＴＥＰ３に進み、第１端末通信部２３が、上述した図３（ａ）の熱源機１０をマスターとして温水端末２０をスレーブに設定した第１リモコン通信を開始し、ＳＴＥＰ４に進んで処理を終了する。
【００４５】
［第２実施形態］
第２実施形態では、熱源機１０に設けられたディップスイッチ１４の設定（ＯＮ／ＯＦＦ）により、温水端末２０がマスターとスレーブのいずれかに設定される。
【００４６】
熱源機１０と温水端末２０への通電が開始されると、熱源機１０のＧＣＨ通信部１２と温水端末２０のＧＣＨ通信部２２は、ＧＣＨ通信線６０を介して、ＧＣＨ通信による双方向のデータ通信を開始する。熱源機１０のＧＣＨ通信部１２は、ディップスイッチ１４の設定がＯＮであるか否かを判断し、ディップスイッチ１４の設定がＯＮであったときは、温水端末２０に対してスレーブ設定での動作を指示するデータを送信する。
【００４７】
図５は通電開始時の温水端末２０の作動フローチャートであり、通電が開始されると、第１端末通信部２３と第２端末通信部２４は、ＳＴＥＰ２０〜ＳＴＥＰ２２のループにより、ＳＴＥＰ２２で通電開始から３０秒が経過したか否かを判断しつつ、ＳＴＥＰ２０で、熱源機１０からＧＣＨ通信線６０を介してスレーブ設定を指示するデータを受信したか否かを判断する。
【００４８】
ＳＴＥＰ２０で、熱源機１０からスレーブ設定を指示するデータを受信しなかったときはＳＴＥＰ３０に分岐し、第１端末通信部２３と第２端末通信部２４は、通電開始から３秒（通電開始からＧＣＨ通信が開始されるまでの時間よりも長く設定した時間）が経過しているか否かを判断する。
【００４９】
ＳＴＥＰ３０で通電開始から３秒が経過していないときはＳＴＥＰ２０に戻る。一方、３秒が経過していたとき、すなわち、通電開始から３秒が経過して熱源機１０と温水端末２０との間のＧＣＨ通信が開始されているが、ＳＴＥＰ２０で、熱源機１０からスレーブ設定での動作を指示するデータを受信しなかったときには、ＳＴＥＰ３１に進む。
【００５０】
そして、第２端末通信部２４が、第２リモコン通信線８０に電源供給して、上述した図３（ｂ）の温水端末２０をマスターに設定した第２リモコン通信を開始し、ＳＴＥＰ２３に進んで処理を終了する。
【００５１】
一方、ＳＴＥＰ２０で熱源機１０からスレーブ設定を指示するデータを受信したときにはＳＴＥＰ２１に進み、第１端末端末部２３が、上述した図３（ａ）の熱源機１０をマスターとした第１リモコン通信を開始する。そして、続くＳＴＥＰ２２で、通電開始から３０秒が経過するまでＳＴＥＰ２０に分岐し、通電開始から３０秒が経過したときにＳＴＥＰ２３に進んで処理を終了する。
【００５２】
［第３実施形態］
第３実施形態では、熱源機１０が、熱源リモコン４０（熱源機１０と温水端末２０の遠隔操作が可能な複合リモコン）が接続されているかを判断して、温水端末２０をマスターとスレーブのいずれかに設定する。
【００５３】
熱源機１０と温水端末２０への通電が開始されると、熱源機１０のＧＣＨ通信部１２と温水端末２０のＧＣＨ通信部２２は、ＧＣＨ通信線６０を介して、ＧＣＨ通信による双方向のデータ通信を開始する。そして、熱源機１０のＧＣＨ通信部１２は、熱源通信部１３に熱源リモコン４０が接続されているか否かを判断し、熱源リモコン４０が接続されているときは、温水端末２０に対して、熱源リモコン４０の接続を通知するデータを送信する。
【００５４】
図６は通電開始時の温水端末２０の作動フローチャートであり、通電が開始されると、第１端末通信部２３と第２端末通信部２４は、ＳＴＥＰ４０〜ＳＴＥＰ４２のループにより、ＳＴＥＰ４２で通電開始から３０秒が経過したか否かを判断しつつ、ＳＴＥＰ４０で、熱源機１０からＧＣＨ通信線６０を介して熱源リモコン４０の接続を通知するデータを受信したか否かを判断する。
【００５５】
ＳＴＥＰ４０で、熱源機１０から熱源リモコン４０の接続を通知するデータを受信しなかったときはＳＴＥＰ５０に分岐し、第１端末通信部２３と第２端末通信部２４は、通電開始から３秒（通電開始からＧＣＨ通信が開始されるまでの時間よりも長く設定した時間）が経過しているか否かを判断する。
【００５６】
ＳＴＥＰ５０で通電開始から３秒が経過していないときはＳＴＥＰ４０に戻る。一方、３秒が経過していたとき、すなわち、通電開始から３秒が経過して熱源機１０と温水端末２０とのＧＣＨ通信が開始されているが、ＳＴＥＰ４０で、熱源機１０から熱源リモコン４０の接続を通知するデータを受信しなかったときにはＳＴＥＰ５１に進む。
【００５７】
そして、第２端末通信部２４が、第２リモコン通信線８０に電源供給して、上述した図３（ｂ）の温水端末２０をマスターに設定した第２リモコン通信を開始し、ＳＴＥＰ４３に進んで処理を終了する。
【００５８】
一方、熱源機１０から熱源リモコン４０の接続を通知するデータを受信したときにはＳＴＥＰ４０からＳＴＥＰ４１に進み、第１端末通信部２３が、上述した図３（ａ）の熱源機１０をマスターとして温水端末２０をスレーブに設定した第１リモコン通信を開始する。そして、続くＳＴＥＰ４２で、通電開始から３０秒が経過するまでＳＴＥＰ４０に分岐し、通電開始から３０秒が経過したときにＳＴＥＰ４３に進んで処理を終了する。
【００５９】
［第４実施形態］
第４実施形態では、温水端末２０が、熱源機１０と温水端末２０が第１リモコン通信線７０により接続されているか否か、及び熱源機１０と温水端末２０がＧＣＨ通信線６０により接続されているか否かを判断して、温水端末２０をマスターとスレーブのいずれかに設定する。
【００６０】
熱源機１０と温水端末２０への通電が開始されると、熱源機１０の熱源通信部１３は、上述した図３（ａ）の熱源機１０をマスターとした第１リモコン通信を開始する。
【００６１】
図７は通電開始時の温水端末２０の作動フローチャートであり、通電が開始されると、ＳＴＥＰ６０で、第１端末通信部２３が上述した図３（ａ）の熱源機１０をマスターとして温水端末２０をスレーブに設定した第１リモコン通信を開始する。そして、続くＳＴＥＰ６１で、第１端末通信部２３は、第１リモコン通信により熱源機１０からのパケットデータを受信したか否かを判断する。
【００６２】
ＳＴＥＰ６１で、第１端末通信部２３が熱源機１０からのパケットデータを受信したとき、すなわち、第１リモコン通信線７０により熱源機１０と温水端末２０が接続されているときは、ＳＴＥＰ６５に進み、第１端末通信部２３は処理を終了する。
【００６３】
一方、ＳＴＥＰ６１で、第１リモコン通信により、熱源機１０からのパケットデータを受信しなかったときにはＳＴＥＰ６２に進み、ＳＴＥＰ６２で通電開始から１０秒が経過していないときはＳＴＥＰ６０に戻り、通電開始から１０秒が経過していたときにはＳＴＥＰ６３に戻る。
【００６４】
ＳＴＥＰ６３，ＳＴＥＰ６４，及びＳＴＥＰ７０は、第２端末通信部２４による処理である。第２端末通信部２４は、ＳＴＥＰ６４で通電開始から１０秒が経過したか否かを判断しつつ、ＳＴＥＰ６３で温水端末２０と熱源機１０がＧＣＨ通信線６０で接続されているか否かを判断する。
【００６５】
そして、ＳＴＥＰ６３で、温水端末２０と熱源機１０がＧＣＨ通信線６０で接続されているときはＳＴＥＰ７０に分岐し、第２端末通信部２４は、上述した図３（ｂ）の温水端末２０をマスターとした第２リモコン通信を開始し、ＳＴＥＰ６５に進んで処理を終了する。
【００６６】
一方、ＳＴＥＰ６３で、温水端末２０と熱源機１０がＧＣＨ通信線６０で接続されていないときにはＳＴＥＰ６４に進む。そして、ＳＴＥＰ６４で通電開始から１０秒が経過していないときはＳＴＥＰ６３に戻り、通電開始から１０秒が経過していたときにはＳＴＥＰ６５に進んで、処理を終了する。
【００６７】
この場合は、温水端末２０に熱源リモコン４０が接続されていないため、熱源リモコン４０により温水端末２０を遠隔操作することができない。また、温水端末２０と熱源機１０間のＧＣＨ通信が不能であるため、端末リモコン５０により、温水端末２０を介したＧＣＨ通信によって熱源機１０を遠隔操作することができない。
【００６８】
なお、本実施の形態では、熱源機１０と熱源リモコン４０と温水端末２０を、第１リモコン通信線７０で接続して、電源重畳通信による双方向のデータ通信を行う構成を示したが、別の温水端末３０を、第１リモコン通信線７０への電源供給を行うことなくさらに第１リモコン通信線７０に接続して、温水端末３０のデータ出力のタイミングを、熱源機１０と温水端末２０と熱源リモコン４０とは互いに異なるタイミングに設定することで、１台の熱源リモコン４０により、熱源機１０と温水端末２０，３０を遠隔操作できるようにしてもよい。また、同様に、３台以上の温水端末を第１リモコン通信線７０に接続することで、１台の熱源リモコン４０により３台以上の温水端末を遠隔操作することも可能である。
【００６９】
また、本実施の形態においては、熱源リモコン４０が、第１リモコン通信線７０を介した電源重畳通信により温水端末２０から受信したデータに応じて、温水端末２０の運転状況を表示部４１に表示したが、この表示を行わない場合にも本発明の効果を得ることができる。
【００７０】
また、本実施の形態では、温水端末２０に、第２リモコン通信線８０を介して端末リモコン５０に電源供給すると共に、第２リモコン通信線８０を介して端末リモコン５０と電源重畳通信を行う第２端末通信部２４を備えたが、第２端末通信部２４を備えない場合にも、本発明の効果を得ることができる。
【００７１】
また、本実施の形態では、図３（ａ）に示したように、熱源機１０をマスターとして第１リモコン通信を行う例を示したが、熱源リモコン４０をマスターとして熱源機１０と温水端末２０をスレーブとして第１リモコン通信を行う構成、或いは、温水端末２０をマスターとして熱源機１０と熱源リモコン４０をスレーブとして第１リモコン通信を行う構成としてもよい。
【符号の説明】
【００７２】
１０…熱源機、１２…ＧＣＨ通信部、１３…熱源通信部、２０…温水端末、２２…ＧＣＨ通信部、２３…第１端末通信部、２４…第２端末通信部、４０…熱源リモコン、５０…端末リモコン、６０…ＧＣＨ通信線、７０…第１リモコン通信線、８０…第２リモコン通信線。
【図１】
2012047399.tif 000003
【図２】
2012047399.tif 000004
【図３】
2012047399.tif 000005
【図４】
2012047399.tif 000006
【図５】
2012047399.tif 000007
【図６】
2012047399.tif 000008
【図７】
2012047399.tif 000009